(57)【特許請求の範囲】
【請求項１】
モータにより所定方向に回転される搬送ベルトを支持するフレームに対して開閉自在に取付けられた上下の扉を有し、前記各扉は、閉められた状態で前記搬送ベルトの上昇面に近接されて、その搬送ベルトとの間でパチンコ玉を回転させながら磨く研磨布を保持するとともに、前記研磨布にパチンコ玉案内溝を形成する複数条の溝を備えたレール体を有する玉磨き揚送装置において、
前記レール体の下端部に形成した係合溝に取付板の下端部に設けた係止金具を係合した状態で、前記レール体を前記取付板に貼付け、前記各取付板を前記各扉に固着手段により着脱自在に固着したことを特徴とする玉磨き揚送装置。
【発明の詳細な説明】
【０００１】
【発明の属する技術分野】
本発明は、遊技機から外れ玉として排除され、回収用搬送装置により回収位置まで搬送されてきたパチンコ玉を無端ベルトと研磨布により磨きながらリサイクル補給用の上部タンクまで揚送する玉磨き揚送装置に関する。
【０００２】
【従来の技術】
図３は一般的な玉磨き揚送装置の概略的な縦断面図、図４は上記従来の玉磨き揚送装置の搬送ベルト５と扉６の部分の横断面図、図５は図４のＢ−Ｂ線断面図である。
玉磨き揚送装置は、図３に示すように、フレーム１に上下のプーリ２，３及び中間のテンションプーリ４ａ，４ｂ，４ｃにより無端ベルトで構成される搬送ベルト５を緊張状態に張設するとともに、図４に示すように、そのフレーム１に搬送ベルト５の上昇側においてヒンジ及びロック（図示省略）により開閉自在に取付けられた扉６の内面にレール体７を介して研磨布８を支持し、レール体７に形成されている溝９に沿って研磨布８に複数条の玉案内溝１０を形成してあり、扉６を所定位置に閉じてロックした時は、回収位置まで回収されたパチンコ玉Ｐが、シュータ１１を介して搬送ベルト５の下端部付近に設けてある玉取込み口から、所定方向に回転されている搬送ベルト５と研磨布８の間を、各玉案内溝１０に沿って１列ずつ回転されながら揚送され、搬送ベルト５の上端部からダクト１２を介して図外の上部タンクに排出されるように構成されている。図３において、１３は駆動プーリ３を回転させるモータである。
【０００３】
従来装置におけるレール体７は、図４及び図５に示すように、研磨布８を支持する側と反対側の面を直接に扉６の正面板６ａの裏面に接着剤又は溶着等１４により貼付けられていた。
【０００４】
【発明が解決しようとする課題】
従来の扉は、上記のような構造であるため、例えば、レール体７がパチンコ玉の激突により一部破損を生じたり摩耗したりした場合には、レール体のみを交換することができないので、扉全体で交換し又は廃棄していた。従って、経済性に問題があった。
また、レール体７が単に扉６に接着などにより固定されていたので、とくに上下の扉のレール体の繋ぎ目においては、下側の扉のレール体の玉案内溝から上側の扉のレール体の玉案内溝に移動する際にレール体にパチンコ玉Ｐから加わることがある力によりレール体７が扉６から浮き上がることがあり、従って、パチンコ玉の円滑な上昇が妨げられ、搬送ベルト５と研磨布８の間にジャムする恐れがあった。
【０００５】
本発明は、上記の点に鑑みてなされたものであり、その課題は、扉が上下に分割されている場合に、レール体にパチンコ玉から加わることがある力によりレール体が扉から浮き上がることを防止し、かつ、レール体に一部破損や摩耗を生じた場合に、低コストで簡単にメンテナンスができるようにした玉磨き揚送装置を提供することにある。
【０００６】
【課題を解決する手段】
上記課題を解決するため、本発明は、モータにより所定方向に回転される搬送ベルトを支持するフレームに対して開閉自在に取付けられた上下の扉を有し、前記各扉は、閉められた状態で前記搬送ベルトの上昇面に近接されて、その搬送ベルトとの間でパチンコ玉を回転させながら磨く研磨布を保持するとともに、前記研磨布にパチンコ玉案内溝を形成する複数条の溝を備えたレール体を有する玉磨き揚送装置において、前記レール体の下端部に形成した係合溝に取付板の下端部に設けた係止金具を係合した状態で、前記レール体を前記取付板に貼付け、前記各取付板を前記各扉に固着手段により着脱自在に固着したことを特徴としている。
上記構成により、とくに扉が上下に分割されている場合に、各レール体の下端部にパチンコ玉が押圧力を加えることがあっても、レール体の浮き上がりが防止される。そして、いずれかのレール体が破損等した場合は、当該扉から研磨布を取外し、固着手段を操作して、取付板を扉から取外して、取付板とレール体のみを交換することができる。
【０００７】
【発明の実施の形態】
次に、本発明の実施の形態について図面を参照して説明する。
図１は、本発明に係る玉磨き揚送装置の搬送ベルトと扉の部分の横断面図、図２は図１のＡ−Ａ線断面図である。図４の従来装置の構成部材と同一の部材に対しては同一の符号を用いる。
図１において、本発明に係る玉磨き揚送装置においては、レール体７は、薄平板状の取付板１５にレール体７を接着剤により又は溶着などにより貼付けてある。取付板１５は、扉６の高さと等しい高さを有し、レール体７の幅方向両端部から外側に延出され、その延出部分に上下方向に任意の間隔をもった位置に孔が設けてある。
扉６の正面壁６ａにも、取付板の孔と合致する位置に孔が設けてある。そして、取付板１５を扉６の正面壁６ａの内面に当接し、整合された孔にねじ１６をねじ込んで、又はボルトナット等の分離可能な固着手段により固着することにより、レール体７が扉６に固定されている。
【０００８】
好ましい実施の形態においては、図２に示すように、レール体の下端部にＬ型の係合溝１７を形成するとともに、取付板１５の下端部にＬ型の係止金具１８を固着しておき、レール体７を扉６に固着する際に係止金具１８を係合溝１７に係合することにより、レール体７の下端部にパチンコ玉Ｐが押圧力を加えることがあっても、レール体７がそれによって浮き上がることが有効に防止されている。
【０００９】
上記のような構成とすることにより、搬送ベルト５とパチンコ玉Ｐの共同作用によりレール体７に加えられる力によりレール体７に損傷又は摩耗などが生じた場合は、固着手段（１６）を操作して、容易にレール体７を扉６から分離することができる。従って、レール体７のみの交換を行うことができ、扉は継続して使用可能である。
【００１０】
【発明の効果】
上述のように、本発明によれば、とくに上下の扉のレール体の繋ぎ目においてレール体の下端部にパチンコ玉が押圧力を加えることがあっても、レール体の浮き上がりが防止される。従って、パチンコ玉は円滑に上昇され、搬送ベルトと研磨布の間にジャムする虞がなくなった。そして、研磨布を担持するレール体を取付板に貼付け、その取付板を扉に固着手段により分離可能に組付けたので、レール体のみの交換が可能であり、経済性が向上する。
【図面の簡単な説明】
【図１】  本発明に係る玉磨き揚送装置の搬送ベルトと扉の部分の横断面図。
【図２】  図１のＡ−Ａ線断面図。
【図３】  一般的な玉磨き揚送装置の概略的な縦断面図。
【図４】  同玉磨き揚送装置の搬送ベルトと扉の部分の横断面図。
【図５】  図４のＣ−Ｃ線断面図。
【符号の説明】
５      搬送ベルト
６      扉
７      レール体
８      研磨布
１０    玉案内溝
１５    取付板
１６    固着手段
【図１】
0004397151.tif 000002
【図２】
0004397151.tif 000003
【図３】
0004397151.tif 000004
【図４】
0004397151.tif 000005
【図５】
0004397151.tif 000006